(57)【特許請求の範囲】
【請求項１】
第１の波長の励起光を入射することでレーザ活性物質を励起し第２の波長のレーザ光を出力するレーザ装置において、
レーザ光の伝搬経路であるとともにレーザ活性物質を含み、端部からの距離が、前記レーザ活性物質により励起されるレーザ光の波長の１００００倍以内の領域において、前記レーザ光のエバネッセント波が、漏れ出したエネルギーの０．９倍の強度に減衰する距離よりも短い間隔で配置された複数の導波領域と、
前記複数の導波領域の周囲に設けられ、前記複数の導波領域よりも低い屈折率のクラッド領域と、
前記導波領域の入射端へ、前記レーザ活性物質を励起するための励起光を入射する励起手段と、
を有することを特徴とするレーザ装置。
【請求項２】
前記クラッド領域は、前記導波領域の入射端から一定の範囲では、前記複数の導波領域の周囲に設けられ、前記複数の導波領域よりも低い屈折率の第１クラッド領域と、前記第１クラッド領域の周囲に設けられ、前記第１クラッド領域よりも低い屈折率の第２クラッド領域とで構成されており、
前記励起手段は、入射端の前記第１クラッド領域に対して励起光を入射することにより、前記レーザ活性物質を励起することを特徴とする請求項１記載のレーザ装置。
【請求項３】
前記導波領域の入射端には、第１の波長の励起光を透過し、第２の波長のレーザ光を反射する多層膜コートが施されていることを特徴とする請求項１または２記載のレーザ装置。
【請求項４】
第１の波長の励起光を入射することでレーザ活性物質を励起し第２の波長のレーザ光を出力するレーザ装置において、
少なくとも一端が束ねられた複数の光ファイバからなり、レーザ光の伝搬経路を構成するとともにレーザ活性物質を含み、レーザ光の出射端では、端部からの距離が、前記レーザ活性物質により励起されるレーザ光の波長の１００００倍以内の領域において、前記レーザ光のエバネッセント波が、漏れ出したエネルギーの０．９倍の強度に減衰する距離よりも短い間隔で配置された複数のコアと、前記複数のコアの周囲に設けられ、前記複数のコアよりも低い屈折率のクラッドとからなるファイババンドルと、
前記ファイババンドルの入射端へ、前記レーザ活性物質を励起するための励起光を入射する励起手段と、
を有することを特徴とするレーザ装置。
【請求項５】
前記ファイババンドルは、前記入射端から一定の範囲内におけるクラッドが、前記複数のコアの周囲に設けられ、前記複数のコアよりも低い屈折率の第１クラッドと、前記第１クラッドの周囲に設けられ、前記第１クラッドよりも低い屈折率の第２クラッドとで構成されており、
前記励起手段は、入射端における前記第１クラッドに対して励起光を入射することにより、前記レーザ活性物質を励起することを特徴とする請求項４記載のレーザ装置。
【請求項６】
前記ファイババンドルの入射端には、第１の波長の励起光を透過し、第２の波長のレーザ光を反射する多層膜コートが施されていることを特徴とする請求項４または５記載のレーザ装置。
【発明の詳細な説明】
【０００１】
【発明の属する技術分野】
本発明はレーザ光を出力するレーザ装置に関し、特に光ファイバでレーザを励起するレーザ装置に関する。
【０００２】
【従来の技術】
光通信またはレーザ加工分野では、より高出力でより安価なレーザ装置の開発が望まれている。この要請を満たせる可能性の高いものとして、光ファイバレーザ装置が知られている。
【０００３】
光ファイバレーザ装置は、コア径並びに、コアとクラッドの屈折率差などを適切に選定することで比較的簡単にレーザ発振の横モードを単一にすることができる。また、光を高密度に閉じ込めることで、レーザ活性物質と光との相互作用を高められる。さらに、光ファイバの長さを長くすることで相互作用を大きく取れるので、高い効率で高品質のレーザ光を発生させることができる。このような優れた性質を有するため、光ファイバレーザ装置を用いれば、レーザ出力の強弱や熱や振動などに影響されない横モードをもった質の良いレーザ光を比較的安価に得ることができる。
【０００４】
ここで、光ファイバレーザ装置のさらなる高出力化または高効率化を実現するには、光ファイバのレーザ活性イオンまたは色素、その他の発光中心（以下、「レーザ活性物質」という）の添加領域（通常はコア部）に効率よく励起光を導入する必要がある。ところが、通常、単一モードの導波条件を満たすようにコア径を設定すると、そのコア径は十数μｍ以下に限定される。そのため、コア径内に効率よく励起光を導入するのは一般的に困難である。これを克服する手段として、いわゆる２重クラッド型ファイバレーザが提案されている（例えば、「H.Zellmer,U.Willamowski,A.Tunnermann,and H.Welling,Optics Letters. Vol.20,No.6,pp.578-580,March,1995. 」に記載されている）。
【０００５】
２重クラッド型ファイバレーザは、コア部の周りに、コアより屈折率の低い第１クラッドを設け、その外側にさらに屈折率の低い第２クラッドを設けたものである。これにより、第１クラッドに導入された励起光は、第１クラッドと第２クラッドとの屈折率の差による全反射により、第１クラッドに閉じ込められた状態を保ちながら伝搬する。この伝搬の際に、励起光はコアを繰り返し通過し、コアに含まれるレーザ活性物質を励起することになる。この２重クラッド型ファイバレーザであれば、励起光は、第１のクラッド部に導入すればよい。しかも、第１クラッドは、コアよりも数百から千倍程度の断面積を有する。そのため、より多くの励起光を導入することが可能となり、高出力化が図れる。
【０００６】
このように、２重クラッド型ファイバレーザは、発振効率が高く、また発振横モードが単一でしかも安定であるという利点を持つため、微細な切断や微細な溶接等の加工用レーザとしての高い能力を有している。
【０００７】
【発明が解決しようとする課題】
ところで、２重クラッド型ファイバレーザは、コア部でのブリリュアン散乱やラマン散乱といった非線型効果による損失の増大やコア部の強力な光による損傷によって、そのレーザ出力が制限されるという欠点がある。現在入手可能なコア材料では、２重クラッド型ファイバレーザの出力は数十Ｗから百数十Ｗに制限されている。
【０００８】
この欠点を克服するために直感的に発想される手段として、「コア径の拡大」が挙げられるが、ファイバレーザのコア径を拡大すると、レーザ発振の横モードが多モード化するという問題が生じる。多モード化すると、ファイバレーザの利点の１つである横モードの安定性が失われることになる。すると、出力の強弱やファイバのわずかな振動や形状の変化によって、そのレーザ出力の横モードが変化してしまう。その結果、例えばレーザ加工では、集光点での光の強度分布が不安定になるという問題が生じる。
【０００９】
そこで、２重クラッド型ファイバレーザの欠点を補う別の方法として、ファイババンドル（ファイバの束）を用いることが考えられる。単一横モードのファイバレーザを複数本束ねれば、束ねた本数分だけ出力を増やすことができるからである。
【００１０】
しかし、単一横モードのファイバレーザを単純に複数本束ねた場合、コアに比べて遥かに大きいクラッド部（直径で約１００倍）がそれぞれのコア部に付いているため、このファイババンドルをレーザ装置に用いたとしても、発光点であるコアが広い空間内に点在する形となって、輝度は低下してしまうという問題点がある。
【００１１】
本発明はこのような点に鑑みてなされたものであり、安定した単一横モードを維持したまま、高い輝度で高出力のレーザ光を出力できるレーザ装置を提供することを目的とする。
【００１３】
【課題を解決するための手段】
本発明では上記課題を解決するために、第１の波長の励起光を入射することでレーザ活性物質を励起し第２の波長のレーザ光を出力するレーザ装置において、レーザ光の伝搬経路であるとともにレーザ活性物質を含み、端部からの距離が、前記レーザ活性物質により励起されるレーザ光の波長の１００００倍以内の領域において、前記レーザ光のエバネッセント波が、漏れ出したエネルギーの０．９倍の強度に減衰する距離よりも短い間隔で配置された複数の導波領域と、前記複数の導波領域の周囲に設けられ、前記複数の導波領域よりも低い屈折率のクラッド領域と、前記導波領域の入射端へ、前記レーザ活性物質を励起するための励起光を入射する励起手段と、を有することを特徴とするレーザ装置が提供される。
【００１６】
このレーザ装置によれば、励起手段により導波領域内のレーザ活性物質が励起されると、単一横モードのレーザ光が発生する。発生したレーザ光は導波領域とクラッド領域との間で全反射され、複数の導波領域の出射端から高密度のレーザ光の束となって出力される。
【００１７】
【発明の実施の形態】
以下、本発明の実施の形態を図面を参照して説明する。
図１は、本発明のレーザ装置の概略構成を示す図である。このレーザ装置は、レーザ光を励起する媒体として２重クラッド型ファイバレーザ用の１６本のファイバを束ねたファイババンドル１００を用いている。束ねられた各ファイバは、導波領域であるコアと、コアの周囲に設けられ、コアよりも屈折率の低い第１クラッド、第１クラッドの周りに設けられ、第１クラッドよりも屈折率の低い第２クラッドとで構成されている。
【００１８】
ファイババンドル１００のファイバが分離されている分離部１０１側の入射端に励起光１０が入射され、ファイバが束ねられているバンドル部１０２側の出射端からレーザ光１０ａが出力される。バンドル部１０２は、横モードの影響を互いに及ぼし合わない範囲で、出射端におけるコアの間隔が微少となるように束ねられている。なお、ファイバから出射される光線の方向を揃える必要があるため、出射端から１ｃｍ以内の範囲においては、各コアは平行である。
【００１９】
また、ファイババンドル１００の励起光の入射端に、１６個のレーザダイオード（以下「ＬＤ」という）２１が設けられている。ＬＤ２１は、電源装置２０によって駆動され、波長が０．８μｍの励起光１０を出力する。ＬＤ２１から出力された励起光１０は、ファイババンドル１００内の第１クラッドと第２クラッドの境界部分で全反射を繰り返しながら、ファイバ内を伝搬する。そして、励起光が伝搬の途中でコアを通過すると、レーザ活性物質が励起され、レーザ光が発生する。励起光のエネルギーは、出射端に達する前に全てレーザ光に変換され、出射端からはレーザ光１０ａのみが出力される。
【００２０】
この装置から出力される１６本のレーザ光１０ａは、レーザ出力の強弱や熱や振動あるいはファイバのわずかな変位などによってレーザ出力の横モードが変化しない。つまり、極めて安定した横モードを有する。しかも、高密度に配置された複数のコアから出力されているため、光ファイバレーザの上限と同程度の輝度を有する。さらに、複数のレーザ光が束ねられて出射されるため、１本の光ファイバレーザよりも格段に大きなレーザ出力が可能である。
【００２１】
図２は、ファイババンドルの励起光の入射端の拡大図である。１６本のファイバ１１０ａ〜１１０ｐの中心には、導波領域であるコア１１１ａ〜１１１ｐがある。コア１１１ａ〜１１１ｐには、レーザ活性物質がドープされている。コア１１１ａ〜１１１ｐの周囲には第１クラッド１１２ａ〜１１２ｐが設けられている。第１クラッド１１２ａ〜１１２ｐは、コア１１１ａ〜１１１ｐよりも屈折率が低い。第１クラッド１１２ａ〜１１２ｐの周囲には、第２クラッド１１３ａ〜１１３ｐが設けられている。第２クラッド１１３ａ〜１１３ｐは、第１クラッド１１２ａ〜１１２ｐよりも屈折率が低い。
【００２２】
そして、ファイバ１１０ａに含まれるレーザ活性物質を励起するための励起光１１は第１クラッド１１２ａに対して入射される。同様に、他のファイバの第１クラッドにも励起光が入射される。
【００２３】
図３は、ファイババンドルのレーザ光の出射端の拡大図である。ファイババンドル１００の出射端では、１６個のコア１１１ａ〜１１１ｐが、微少な間隔で中央部に集中して配置されている。各コア１１１ａ〜１１１ｐは、隣り合うコア同士のレーザ発振の横モードが互いに影響しないような十分な間隔を確保し、かつ、出来るだけ高密度に配置されている。
【００２４】
ここで、横モードが影響し合わない距離は、レーザ発振波長のエバネッセント波によって定められる。
エバネッセント波とは、コアを伝播するレーザ光が、コアと第１クラッドの間で全反射する際に、第１クラッド側へ漏れ出す光のことである。エバネッセント波の強度は、コアと第１クラッドとの境界から離れるに従い減少する。高いエネルギーのエバネッセント波が、隣り合った別のコアに進入すると、レーザ光が互いに影響を及ぼし合い、単一横モードの状態が崩れてしまう。
【００２５】
そこで、単一横モードの状態を崩さないためには、コアと第１クラッドとの境界におけるエバネッセント波の強度を基準値とし、原則として、エバネッセント波の強度が基準値の０．９倍に減衰する距離よりも長い間隔でコア同士を隣接させる必要がある。ただし、コアが隣接している領域（バンドル部１０２）の長さがレーザ波長の１００００倍以内であれば、エバネッセント波が基準値の０．９倍に減衰する距離よりも短い間隔でコア同士が隣接していても、横モードが影響し合うことはない。したがって、バンドル部１０２の長さをレーザ波長の１００００倍以内にすれば、コアをより接近させることができる。この場合には、コア同士が密着していてもよい。
【００２６】
また、コアの間隔が離れすぎていると、単にファイバを束ねた場合と同様に、出射光が広い範囲に点在してしまい、出射光の単位面積当たりの強度を上げることができなくなってしまう。したがって、エバネッセント波の強度が基準値の０．０１倍となる距離よりも短い間隔でコア同士が隣接していることが望ましい。
【００２７】
図４は、コア間隔とモードの変化率との関係を示す図である。この図では、横軸にコア間隔（μｍ）を取り、縦軸にモードの変化率を取っている。ここで、モードの変化率は、コアが密着した状態を１とした場合の発振横モードの強度変化率を示している。この図から分かるように、モードの変化率は、コア間隔が１μｍ以内の範囲ではコア間隔が広がるに従い急激に減少し、コア間隔が２μｍになると発振横モードの強度変化は微少なものとなる。そして、コア間隔が１２μｍ以上離れれば、発振横モードの強度はほとんど変化しなくなる。
【００２８】
次に、本発明のレーザ装置に用いるファイババンドルの製造方法について説明する。
図５は、ファイババンドルの製造工程の前半を示す図である。なお、この図では第１クラッドと第２クラッドとの境界部分は図示していない。また、以下の説明では、第１クラッドと第２クラッドとを合わせて、単に「クラッド」と呼ぶこととする。
〔Ｓ１〕ファイバ１１０ａを図示していないガラス製Ｖ溝に接着剤を用いて固定し、ファイバのクラッド研削装置であるダイシングソーに取り付ける。
〔Ｓ２〕ダイシングソーを用いて、コア１１１ａから５μｍの距離を残してクラッドを削り取る。
〔Ｓ３〕工程Ｓ１，Ｓ２と同様の手順でクラッドを研削したファイバ１１０ｂを、接着剤によってファイバ１１０ａと接着する。
〔Ｓ４〕コア１１１ｂから５μｍを残して、クラッドを削り取る。
〔Ｓ５〕工程Ｓ１，Ｓ２と同様の手順でクラッドを研削したファイバ１１０ｃを、接着剤によってファイバ１１０ｂと接着する。
〔Ｓ６〕コア１１１ｃから５μｍを残して、クラッドを削り取る。
〔Ｓ７〕工程Ｓ１，Ｓ２と同様の手順でクラッドを研削したファイバ１１０ｄを、接着剤によってファイバ１１０ｃと接着する。
【００２９】
これにより、１次元のファイバアレイを作ることができる。そして、同様の１次元ファイバアレイを全部で４個作る。このように、クラッドの研削とファイバの接着とを交互に行うのは、クラッドを少しずつ研削することにより、ファイバの機械的な強度を保ちながら加工を進めるためである。
【００３０】
図６は、ファイババンドルの製造工程の後半を示す図である。この工程では、１次元ファイバアレイを基本として２次元ファイバアレイを作成する。
〔Ｓ１１〕ファイバアレイ１００ａを図示していないガラス製Ｖ溝に接着剤を用いて固定し、ダイシングソーに取り付ける。
〔Ｓ１２〕ダイシングソーを用いて、コア１１１ａ〜１１１ｄから５μｍの距離を残してクラッドを削り取る。
〔Ｓ１３〕工程Ｓ１１，Ｓ１２と同様の手順でクラッドを研削したファイバアレイ１００ｂを、接着剤によってファイバアレイ１００ａと接着する。
〔Ｓ１４〕コア１１１ｅ〜１１１ｈから５μｍを残して、クラッドを削り取る。
〔Ｓ１５〕工程Ｓ１１，Ｓ１２と同様の手順でクラッドを研削したファイバアレイ１００ｃを、接着剤によってファイバアレイ１００ｂと接着する。
〔Ｓ１６〕コア１１１ｉ〜１１１ｌから５μｍを残して、クラッドを削り取る。
〔Ｓ１７〕工程Ｓ１１，Ｓ１２と同様の手順でクラッドを研削したファイバアレイ１００ｄを、接着剤によってファイバアレイ１００ｃと接着する。
【００３１】
これにより、２重クラッド型のファイバの出力側が２次元のファイバアレイとして束ねられる。このようにして作成されたファイババンドルをファイバレーザ装置に利用することにより、高出力のレーザ装置が得られる。
【００３２】
なお、上記の説明では、ファイバを束ねる際に、接着剤で接着するものとしているが、ファイバ同士を融着して束ねることもできる。
また、上記の説明では、ファイバを１本ずつ束ねることで１次元ファイバアレイを作成し、その１次元ファイバアレイを束ねて本発明のファイババンドルを作成しているが、加工時の機械的強度が問題とならない場合には、全てのファイバを細く切削した後、それらを一度に束ねても良い。
【００３３】
ところで、上記のファイババンドルは、コアが縦と横に一直線に並んでいるが、配列を変えることにより、さらに高密度に束ねることができる。そのようなファイババンドルの例を以下に説明する。
【００３４】
図７は、より高密度に配列したファイババンドルの例を示す図である。この図は、レーザ光の出射端を示している。このファイババンドル３０は、図中の左から１列目に、３つのコア３１ａ〜３１ｃが縦に並んでいる。その右側の２列目に、４つのコア３１ｄ〜３１ｇが縦に並んでいる。２列目のコア３１ｄ〜３１ｇの間隔は、１列目のコア３１ａ〜３１ｃの間隔と同じであり、２列目の最上部のコア３１ｄと最下部のコア３１ｇの中点が、１列目の中央のコア３１ｂと同じ高さになる。
【００３５】
同様に、３列目には５つのコア３１ｈ〜３１ｌが配置され、４列目には４つのコア３１ｍ〜３１ｐが配置され、５列目には３つのコア３１ｑ〜３１ｓが配置されている。
【００３６】
このようなファイババンドル３０の製造方法を以下に説明する。なお、１次元のファイバアレイを作成するまでの工程（図５に示す）は、第１の実施の形態と同様であるため説明を省略する。
【００３７】
図８は、より高密度に配列したファイババンドルの製造工程を示す図である。
〔Ｓ２１〕３つのファイバが束ねられた１次元のファイバアレイ３０ａを図示していないガラス製Ｖ溝に接着剤を用いて固定し、ダイシングソーに取り付ける。
〔Ｓ２２〕ダイシングソーを用いて、所定の位置を頂点とし、頂角１２０度でクラッドを削り取る。
〔Ｓ２３〕工程Ｓ２２と同様の手順で、クラッドの所定の位置を削り取る。
〔Ｓ２４〕４本のファイバを束ね、工程Ｓ２２，Ｓ２３と同様の方法でクラッドを削り取った１次元のファイバアレイ３０ｂを、ファイバアレイ３０ａに接着する。
〔Ｓ２５〕工程Ｓ２２，Ｓ２３と同様の手順で、クラッドの所定の位置を削り取る。
〔Ｓ２６〕５本のファイバを束ね、工程Ｓ２２，Ｓ２３と同様の方法でクラッドを削り取った１次元のファイバアレイ３０ｃを、ファイバアレイ３０ｂに接着する。
〔Ｓ２７〕以後同様に、４本のファイバを束ねたファイバアレイ３０ｄと、３本のファイバを束ねたファイバアレイ３０ｅを順次接着する。
【００３８】
これにより、出射端のコアがより高密度に配置されたファイババンドルを作成することができる。
なお、以上の説明では、ファイバレーザに用いるための２重クラッド型ファイバを直接束ねる場合について説明したが、コアを近接させる部分とレーザ光を励起する部分とを個別に作成してもよい。この場合、線引きによって、出射端のコアを高密度に配列させることができる。そのようなファイババンドルの例を以下に説明する。
【００３９】
図９は、線引きによるファイババンドルの製造工程の前半を示す図である。
〔Ｓ３１〕まず、複数のプリフォーム（線引きする前のガラス母材）を接着剤で接着（若しくは融着）することにより単純に束ね、ファイババンドル４０を作る。なお、このプリフォームは、２重クラッド型ではなく、レーザ光を伝搬するコアとその周囲に設けられたクラッドとからなる。また、コアには、レーザ励起用の材料はドープされていない。このファイババンドル４０の両側の端面４１，４２は、同じ大きさである。
〔Ｓ３２〕ファイババンドル４０の一端を線引きする。これにより、ファイババンドル４０が、端面４１から端面４２にかけて徐々に細くなり、端面４２は縮小される。
【００４０】
図１０は、線引きによるファイババンドルの製造工程の後半を示す図である。
〔Ｓ３３〕コアにレーザ活性物質がドープされた２重クラッド型のファイバを束ねたファイババンドル５０を用意する。このファイババンドル５０の端面５１に、ファイババンドル４０の端面４１を合致させ、２つのファイババンドルを接続する。接続は、接着、融着、突き合わせなど、既存の光ファイバ接続技術で行う。
【００４１】
これにより、本発明のレーザ装置に用いるファイババンドルを、線引きによって作成できる。このように、線引きによってコア同士を近接させることにより、高出力で輝度の高い単一横モードのレーザ光を発生させるためのファイババンドルを容易に作成することができる。
【００４２】
なお、上記の各ファイババンドルの製造方法の説明では、ファイバの端部から一定の領域に対して切削若しくは線引きを行うことで本発明に係るファイババンドルを製造したが、これらの加工処理をファイバの中間部分に対して行ってもよい。すなわち、ファイバの中間部分を研削若しくは引き伸ばしにより束ねてバンドル化する。そして、束ねた部分の中央付近で切断すれば、本発明のファイババンドルを２本同時に作成できる。
【００４３】
次に、単にファイバを束ねたファイババンドルをレーザ装置に用いた場合と、上記のようなコアが近接して配置されたファイババンドルをレーザ装置に用いた場合との輝度の違いについて考察する。
【００４４】
いま、コア径１０μｍ（単一横モード）、第１クラッド径９００μｍ、第２クラッド径１０００μｍのレーザ媒体を用いた２重クラッド型ファイバレーザ装置を考える。このファイバレーザ装置では、ＬＤで励起したレーザ光を、励起光として２重クラッド型ファイバに入射する。ＬＤで励起して、非線形効果により損失が顕著にならない上限の出力として１５０Ｗが得られている場合、その輝度Ｐ１は、
【００４５】
【数１】
0003939816.tif 000002
となる。
【００４６】
このような単一横モードのファイバレーザを単純に複数本束ねたレーザ装置の輝度Ｐ２は、以下のようになる。
図１１は、複数のファイバを単純に束ねたレーザ装置のレーザ光の出射端を示す図である。この図に示すファイババンドル６０は、１９本のファイバ６１が束ねられている。各ファイバ６１は、中心にコアが設けられている。コアの直径は１０μｍほどである。コアの周りには、直径は９００μｍの第１クラッドが設けられている。第１クラッドの周りには、直径１ｍｍ（１０００μｍ）の第２クラッドが設けられている。
【００４７】
図のように１９本のファイバ６１を配置すれば、レーザ出力はファイバ一本の場合の１９倍の２．８５ｋＷ得られるが、発光領域６２の直径は約４ｍｍとなる。したがって、その輝度Ｐ２は、
【００４８】
【数２】
0003939816.tif 000003
である。
【００４９】
この結果を、式（１）の結果と比べれば分かるように、ファイバ一本の場合に比べて、輝度は著しく低下してしまう。つまり、レーザ加工に重要な集光性が大幅に低下したことを意味する。この理由は、単一横モードのファイバレーザを単純に束ねた場合、平均出力は束ねた本数分だけ増やすことができるが、コアに比べて遥かに大きいクラッド（直径で１００倍）がそれぞれのコアに付いているため、発光点であるコアが広い空間に点在する形となるからである。
【００５０】
そこで、本願発明のファイババンドルにより出力１５０Ｗのファイバを束ねた場合を考える。
図１２は、本発明のレーザ装置のレーザ光の出射端におけるコアの配置を示す図である。この図に示すファイババンドル７０は、コア径１０μｍの１９本のコア７１が、１０μｍ間隔で配置されている。すると、１９本のレーザ光の発光領域７２の直径は、９０μｍとなる。
【００５１】
すると、レーザ出力はファイバ一本の場合の１９倍の２．８５ｋＷ得られ、平均の輝度Ｐ３は、
【００５２】
【数３】
0003939816.tif 000004
である。したがって、単純にファイバを束ねた場合に比べ、平均の輝度が非常に高くなっている。
【００５３】
このようなレーザ装置を、レーザ加工装置に用いることにより、高精度の加工を高速に行うことが可能となる。
本発明のファイババンドルによる光ファイバレーザ装置をレーザ加工装置に用いる場合、ファイババンドルのレーザ光の出力側には、加工ヘッドが設けられる。加工ヘッド内には集光レンズが設けられ、レーザ光をワーク上で集光させることができる。また、加工ヘッドには補助ガスが導入されており、加工ヘッドの先端から補助ガスが噴出するように構成されている。補助ガスには、酸化を防止するシールドガスや、発生するプラズマを除去するプラズマ処理ガスなどが用いられる。また、レーザ加工装置には、ワークを載せる台とその台を移動させるサーボモータが設けられている。そして、レーザ出力やワークの位置などを数値制御装置などで制御することにより、精密な加工を行うことができる。
【００５４】
【実施例】
以下に、図１に示した第１の実施の形態を具体化したレーザ装置の実施例について説明する。
【００５５】
ここでは、コア径１０μｍ、第１クラッド径９００μｍ、第２クラッド径１０００μｍ、長さ５０ｍの２重クラッド型ファイバを１６本用いて、ファイババンドルを作成した。ファイバのコアには、０．５ａｔ％の濃度でＮｄ3+イオンをドープした。ファイバの母材には、石英系ガラスを用いた。
【００５６】
励起光の入射端は、励起光が効率よく入力されるように平面研磨され、励起光０．８μｍにおいて透過率９５％以上、レーザ発振波長１．０６μｍにおいて反射率９８％以上の多層膜コートが施されている。レーザ光の出射端ではファイバが束ねられ、コアが１０μｍの間隔で配置されている。
【００５７】
なお、図１においては、便宜上ファイバの全長を短く描いているが、実際には１本５０ｍの長さがある。そして、光ファイバは周知のように柔軟性に優れているため、図示していない直径約２０ｃｍのボビンに巻き付ける構造とした。
【００５８】
このレーザバンドルを用いた装置に、発振波長０．８μｍ、出力２０ＷのＬＤを１６個用いて励起させたところ、波長１．０６μｍで出力１２０Ｗというレーザ光が得られた。
【００５９】
このレーザ装置の出力を焦点距離５０ｍｍのレンズ系で集光したところ、直径５０μｍ以内に出力の９０％以上のエネルギーが集光できた。一般的な大出力ＹＡＧ(Yttrium Alminium Garnet) レーザの集光径が、同様の条件で５００μｍ以上であるから、集光径は１／１０以下である。集光点でのエネルギー密度は、集光点の面積に反比例するので、一般的な大出力ＹＡＧレーザに比べて１００倍以上のエネルギー密度を発生させることが出来る。しかも、このレーザ装置の集光径は、レーザ出力や熱の状態によらず常に一定であるため、安定したレーザ加工が可能である。
【００６０】
なお、この例では、励起用に用意したＬＤが少なかったために１２０Ｗの出力しか得られなかったが、この出力値はこのレーザ装置の限界ではない。励起光の出力を上げればレーザ装置の出力をさらに挙げることができ、その上限は２ｋＷ以上であると考えられる。
【００６１】
【発明の効果】
以上説明したように本発明のレーザ装置では、レーザ光の出射端のコアを、レーザ発振の横モードが互いに影響しない間隔をおいて近接して配置したため、安定した横モードを有し、かつ高輝度で大出力のレーザ光を得ることができる。
【図面の簡単な説明】
【図１】本発明のレーザ装置の概略構成を示す図である。
【図２】ファイババンドルの励起光の入射端の拡大図である。
【図３】ファイババンドルのレーザ光の出射端の拡大図である。
【図４】コア間隔とモードの変化率との関係を示す図である。
【図５】ファイババンドルの製造工程の前半を示す図である。
【図６】ファイババンドルの製造工程の後半を示す図である。
【図７】より高密度に配列したファイババンドルの例を示す図である。
【図８】より高密度に配列したファイババンドルの製造工程を示す図である。
【図９】線引きによるファイババンドルの製造工程の前半を示す図である。
【図１０】線引きによるファイババンドルの製造工程の後半を示す図である。
【図１１】複数のファイバを単純に束ねたレーザ装置のレーザ光の出射端を示す図である。
【図１２】本発明のレーザ装置のレーザ光の出射端におけるコアの配置を示す図である。
【符号の説明】
１０  励起光
１０ａ  レーザ光
２０  電源装置
２１  レーザダイオード（ＬＤ）
１００  ファイババンドル
１０１  分離部
１０２  バンドル部
【図１】
0003939816.tif 000005
【図２】
0003939816.tif 000006
【図３】
0003939816.tif 000007
【図４】
0003939816.tif 000008
【図５】
0003939816.tif 000009
【図６】
0003939816.tif 000010
【図７】
0003939816.tif 000011
【図８】
0003939816.tif 000012
【図９】
0003939816.tif 000013
【図１０】
0003939816.tif 000014
【図１１】
0003939816.tif 000015
【図１２】
0003939816.tif 000016